(57)【特許請求の範囲】
【請求項１】
挿入部の先端から注水する機能を有する内視鏡と、
前記挿入部の先端からの注水量を検出する注水量検出手段と、
前記内視鏡の挿入部の先端に装着されるスコープフードと、
前記内視鏡が撮像した画像から、前記画像上における前記スコープフードの先端部の位置を検出する位置検出手段と、
前記内視鏡の機種および前記スコープフードの機種の少なくとも一方を検出する機種検出手段と、
前記位置検出手段が検出した前記スコープフードの先端部の位置、ならびに、前記機種検出手段が検出した内視鏡の機種および前記スコープフードの機種の少なくとも一方を用いて、前記内視鏡の挿入部の先端面と前記スコープフードとが形成する前記スコープフードの内部空間の体積を検出する空間体積検出手段と、
前記注水量検出手段が検出した注水量と、前記空間体積検出手段が検出した前記スコープフードの内部空間の体積とから、病変部の体積を検出する病変部体積検出手段とを有することを特徴とする内視鏡診断装置。
【請求項２】
前記空間体積検出手段は、前記スコープフードの機種に応じて作成した、前記画像上における前記スコープフードの先端部と、前記スコープフードの内部空間の体積との関係を用いて、前記スコープフードの内部空間の体積を検出する請求項１に記載の内視鏡診断装置。
【請求項３】
前記空間体積検出手段は、前記スコープフードの先端部の位置から、前記内視鏡の挿入部の先端面から前記スコープフードの先端部までの距離を検出し、かつ、前記内視鏡の機種および前記スコープフードの機種の少なくとも一方から、前記内視鏡の挿入部の先端面の面積もしくは前記スコープフードの先端面の面積を検出し、
検出した、前記内視鏡の挿入部の先端面から前記スコープフードの先端部までの距離と、前記内視鏡の挿入部の先端面の面積もしくは前記スコープフードの先端面の面積とを用いて、前記スコープフードの内部空間の体積を検出する請求項１に記載の内視鏡診断装置。
【請求項４】
前記空間体積検出手段は、前記内視鏡の機種および前記スコープフードの機種の少なくとも一方に応じて、前記スコープフードの内部空間の体積を検出するために用いるパラメータを変更する請求項１〜３のいずれか１項に記載の内視鏡診断装置。
【請求項５】
前記内視鏡が注水した水の流量を測定する流量測定手段、前記内視鏡が注水する水を貯留するタンクおよび前記タンクの重量を測定する重量測定手段、前記内視鏡による水の注水時間を測定する時間測定手段、および、注水量を入力する入力手段の１以上を有し、
前記注水量検出手段は、前記流量測定手段による水の流量の測定結果、前記重量測定手段による重量測定結果、前記時間測定手段による時間測定結果、および、前記入力手段によって入力された注水量の少なくとも１つを用いて、前記内視鏡の挿入部の先端からの注水量を検出する請求項１〜４のいずれか１項に記載の内視鏡診断装置。
【請求項６】
前記病変部体積検出手段が検出した病変部の体積を表示する手段、前記病変部体積検出手段が検出した病変部の体積を記録する手段、および、前記病変部体積検出手段が検出した病変部の体積に応じた警告を出力する手段の１以上を有する請求項１〜５のいずれか１項に記載の内視鏡診断装置。
【請求項７】
前記注水量測定手段が検出した注水量が、前記空間体積検出手段が検出した前記スコープフードの内部空間の体積を超えた場合に、警告を出力する手段を有する請求項１〜６のいずれか１項に記載の内視鏡診断装置。
【請求項８】
内視鏡診断装置の作動方法であって、
挿入部の先端にスコープフードを装着した内視鏡を有する前記内視鏡診断装置を用い、
前記内視鏡が撮像した画像から、前記画像上における前記スコープフードの先端部の位置を検出し、
前記画像上における前記スコープフードの先端部の位置と、前記内視鏡の機種および前記スコープフードの機種の少なくとも一方とから、前記スコープフードと前記内視鏡の挿入部の先端面とが形成する前記スコープフードの内部空間の体積を得て、
前記スコープフードの内部が満たされるまで注水したときの注水量と、前記スコープフードの内部空間の体積との差から、病変部の体積を測定する、内視鏡診断装置の作動方法。
【請求項９】
前記スコープフードの機種に応じて作成した、前記画像上における前記スコープフードの先端部と、前記スコープフードの内部空間の体積との関係を用いて、前記スコープフードの内部空間の体積を得る請求項８に記載の内視鏡診断装置の作動方法。
【請求項１０】
前記画像上におけるスコープフードの先端部の位置から、前記内視鏡の先端面から前記スコープフードの先端部までの距離を検出し、
前記内視鏡の機種および前記スコープフードの機種の少なくとも一方から、前記内視鏡の先端面の面積もしくは前記スコープフードの先端面の面積を検出し、
前記内視鏡の先端面から前記スコープフードの先端部までの距離と、前記内視鏡の先端面の面積もしくは前記スコープフードの先端面の面積とを用いて、前記スコープフードの内部空間の体積を得る請求項８に記載の内視鏡診断装置の作動方法。
【請求項１１】
前記内視鏡の機種および前記スコープフードの機種の少なくとも一方に応じて、前記スコープフードの内部空間の体積を得るために用いるパラメータを変更する請求項８〜１０のいずれか１項に記載の内視鏡診断装置の作動方法。
【請求項１２】
前記スコープフード内部への注水量を、前記内視鏡に取り付けた水の流量測定装置、前記内視鏡が注水する水を貯留したタンクの重量変化、前記スコープフードへの注水時間、および、注水量の入力の１以上を用いて検出する請求項８〜１１のいずれか１項に記載の内視鏡診断装置の作動方法。
【請求項１３】
測定した病変部の体積の表示、測定した病変部の体積の記録、および、測定した病変部の体積に応じた警告の出力の１以上を行う請求項８〜１２のいずれか１項に記載の内視鏡診断装置の作動方法。
【請求項１４】
前記スコープフードの内部空間の体積よりも、前記スコープフード内への注水量が多くなった場合に、警告を出力する請求項８〜１３のいずれか１項に記載の内視鏡診断装置の作動方法。
【発明の詳細な説明】
【技術分野】
【０００１】
本発明は、内視鏡を用いた病変部の体積測定に関する。詳しくは、特別な測定用の処置具を用いることなく、内視鏡によって容易に病変部の体積の測定を行うことを可能にする内視鏡診断装置および内視鏡診断装置の作動方法に関する。
【背景技術】
【０００２】
被検体内を観察するために、内視鏡診断装置が用いられている。被検体内の観察を行う場合、内視鏡の挿入部が被検体の体腔内に挿入されて、その先端部から、例えば、観察光として白色光が被観察領域に照射され、その反射光を受光して内視鏡画像が撮像される。撮像された内視鏡画像は表示部に表示され、内視鏡診断装置の操作者により、内視鏡画像の観察が行われる。
【０００３】
近年では、被検体内で撮像された内視鏡画像を見て、腫瘍等の病変部の有無を確認するだけでなく、あるサイズ（大きさ）を超える腫瘍は切除し、それ以下のサイズの腫瘍は温存して様子を見るなどの目的から、病変部のサイズを測定したいという要求がある。
【０００４】
病変部のサイズを測定するために、スケール付きプローブ等の処置具を利用する方法が知られている。この方法では、内視鏡の鉗子口の入口からスケール付きプローブを挿入して先端部の鉗子口の出口から突出させる。スケール付きプローブの先端部は、柔軟性を有し、かつ、サイズを測定するための目盛りが刻まれている。このような柔軟性のある先端部を被観察領域に押し当てて折り曲げ、先端部に刻まれた目盛りを読み取ることにより、被観察領域の病変部のサイズを測定する。
【０００５】
しかし、この方法では、病変部のサイズを測定するためだけに、スケール付きプローブを内視鏡の鉗子口に挿入する必要があるため、その操作に時間がかかるだけでなく、作業が繁雑で面倒であった。また、スケール付きプローブの先端部を被検体の被観察領域に押し当てて折り曲げて測定するため、測定精度が低く、部位によっては、先端部を被検体の被観察領域に押し当てることが難しいなど、測定しづらい場合があった。
【０００６】
また、内視鏡を用いた病変部のサイズの測定方法は、各種の方法が提案されている。
例えば、特許文献１には、内視鏡の挿入部の先端部の２つ開口から病変部に水流を噴射し、２つの水流間の距離が２つの開口間の距離と等しいことから、病変部が処置基準値以上であるか否かを判定することが記載されている。
また、特許文献２には、測定点を設定するためのアーム部を有する処置具を用いて、病変部の周囲に複数の測定点を設定し、測定点の座標情報に基づき、演算により病変部の大きさを求めることが記載されている。
【先行技術文献】
【特許文献】
【０００７】
【特許文献１】特開２０１１−１８３０００号公報
【特許文献２】特開２００８−２４５８３８号公報
【発明の概要】
【発明が解決しようとする課題】
【０００８】
特許文献１の内視鏡装置では、挿入部の先端部から２つの水流を出力する２つの開口を備える専用の内視鏡が必要であり、この内視鏡でなければ病変部のサイズを測定することができないという問題がある。
また、特許文献２の内視鏡装置では、病変部のサイズを測定するために、ロボットアームが必要であり、さらに、煩雑なロボットアームを操作して病変部の周囲に複数の測定点を設定しなければならないという問題がある。
【０００９】
本発明の目的は、従来技術の問題点を解消することにあり、測定用の特別な処置具を用いることなく、内視鏡によって腫瘍等の病変部の体積を測定することができる、内視鏡診断装置および内視鏡診断装置の作動方法を提供することにある。
【課題を解決するための手段】
【００１０】
上記目的を達成するために、本発明の内視鏡診断装置は、挿入部の先端から注水する機能を有する内視鏡と、
挿入部の先端からの注水量を検出する注水量検出手段と、
内視鏡の挿入部の先端に装着されるスコープフードと、
内視鏡が撮像した画像から、画像上におけるスコープフードの先端部の位置を検出する位置検出手段と、
内視鏡の機種およびスコープフードの機種の少なくとも一方を検出する機種検出手段と、
位置検出手段が検出したスコープフードの先端部の位置、ならびに、機種検出手段が検出した内視鏡の機種およびスコープフードの機種の少なくとも一方を用いて、内視鏡の挿入部の先端面とスコープフードとが形成するスコープフードの内部空間の体積を検出する空間体積検出手段と、
注水量検出手段が検出した注水量と、空間体積検出手段が検出したスコープフードの内部空間の体積とから、病変部の体積を検出する病変部体積検出手段とを有することを特徴とする内視鏡診断装置を提供する。
【００１１】
このような内視鏡診断装置において、空間体積検出手段は、スコープフードの機種に応じて作成した、画像上におけるスコープフードの先端部と、スコープフードの内部空間の体積との関係を用いて、スコープフードの内部空間の体積を検出するのが好ましい。
また、空間体積検出手段は、スコープフードの先端部の位置から、内視鏡の挿入部の先端面からスコープフードの先端部までの距離を検出し、かつ、内視鏡の機種およびスコープフードの機種の少なくとも一方から、内視鏡の挿入部の先端面の面積もしくはスコープフードの先端面の面積を検出し、検出した、内視鏡の挿入部の先端面からスコープフードの先端部までの距離と、内視鏡の挿入部の先端面の面積もしくはスコープフードの先端面の面積とを用いて、スコープフードの内部空間の体積を検出するのが好ましい。
また、空間体積検出手段は、内視鏡の機種およびスコープフードの機種の少なくとも一方に応じて、スコープフードの内部空間の体積を検出するために用いるパラメータを変更するのが好ましい。
また、内視鏡が注水した水の流量を測定する流量測定手段、内視鏡が注水する水を貯留するタンクおよびタンクの重量を測定する重量測定手段、内視鏡による水の注水時間を測定する時間測定手段、および、注水量を入力する入力手段の１以上を有し、注水量検出手段は、流量測定手段による水の流量の測定結果、重量測定手段による重量測定結果、時間測定手段による時間測定結果、および、入力手段によって入力された注水量の少なくとも１つを用いて、内視鏡の挿入部の先端からの注水量を検出するのが好ましい。
また、病変部体積検出手段が検出した病変部の体積を表示する手段、病変部体積検出手段が検出した病変部の体積を記録する手段、および、病変部体積検出手段が検出した病変部の体積に応じた警告を出力する手段の１以上を有するの好ましい。
さらに、注水量測定手段が検出した注水量が、空間体積検出手段が検出したスコープフードの内部空間の体積を超えた場合に、警告を出力する手段を有するのが好ましい。
【００１２】
また、本発明の内視鏡診断装置の作動方法は、挿入部の先端にスコープフードを装着した内視鏡を有する前記内視鏡診断装置を用い、
内視鏡が撮像した画像から、画像上におけるスコープフードの先端部の位置を検出し、
画像上におけるスコープフードの先端部の位置と、内視鏡の機種およびスコープフードの機種の少なくとも一方とから、スコープフードと内視鏡の挿入部の先端面とが形成するスコープフードの内部空間の体積を得て、
スコープフードの内部が満たされるまで注水したときの注水量と、スコープフードの内部空間の体積との差から、病変部の体積を測定する、内視鏡診断装置の作動方法を提供する。
【００１３】
このような本発明の内視鏡診断装置の作動方法において、スコープフードの機種に応じて作成した、画像上におけるスコープフードの先端部と、スコープフードの内部空間の体積との関係を用いて、スコープフードの内部空間の体積を得るのが好ましい。
また、画像上におけるスコープフードの先端部の位置から、内視鏡の先端面からスコープフードの先端部までの距離を検出し、内視鏡の機種およびスコープフードの機種の少なくとも一方から、内視鏡の先端面の面積もしくはスコープフードの先端面の面積を検出し、内視鏡の先端面からスコープフードの先端部までの距離と、内視鏡の先端面の面積もしくはスコープフードの先端面の面積とを用いて、スコープフードの内部空間の体積を得るのが好ましい。
また、内視鏡の機種およびスコープフードの機種の少なくとも一方に応じて、スコープフードの内部空間の体積を得るために用いるパラメータを変更するのが好ましい。
また、スコープフード内部への注水量を、内視鏡に取り付けた水の流量測定装置、内視鏡が注水する水を貯留したタンクの重量変化、スコープフードへの注水時間、および、注水量の入力の１以上を用いて検出するのが好ましい。
また、測定した病変部の体積の表示、測定した病変部の体積の記録、および、測定した病変部の体積に応じた警告の出力の１以上を行うのが好ましい。
さらに、スコープフードの内部空間の体積よりも、スコープフード内への注水量が多くなった場合に、警告を出力するのが好ましい。
【発明の効果】
【００１４】
本発明によれば特別な治具を用いることなく、内視鏡の処置具として一般的に用いられるスコープフードと、注水という内視鏡が一般的に有する機能とを用いて、腫瘍等の病変部の体積を容易に測定できる。
【図面の簡単な説明】
【００１５】
【図１】本発明の内視鏡診断装置の一例を示す概念図である。
【図２】図１に示す内視鏡診断装置の内部構成を表すブロック図である。
【図３】内視鏡の先端部の構成を表す概念図である。
【図４】青色レーザ光源からの青色レーザ光及び青色レーザ光が蛍光体により波長変換された発光スペクトルを示すグラフである。
【図５】（Ａ）は、内視の鏡挿入部の先端部に装着されるスコープフードの構成を表す概念図、（Ｂ）は、同図（Ａ）に示すスコープフードを内視鏡の挿入部の先端部に装着する様子を表す概念図である。
【図６】（Ａ）〜（Ｄ）は、本発明の作用を説明するための概念図である。
【図７】スコープフードが撮像された内視鏡画像を表す概念図である。
【発明を実施するための形態】
【００１６】
以下、本発明の内視鏡診断装置および内視鏡診断装置の作動方法について、添付の図面に示される好適実施例を基に、詳細に説明する。
【００１７】
図１に、本発明の内視鏡装置の一例を概念的に示す。また、図２に、図１に示す内視鏡診断装置の内部構成をブロック図で示す。
図１および図２に示されるように、内視鏡診断装置１０は、光源装置１２と、光源装置１２から供給された観察光によって被検体の被観察領域の内視鏡画像を撮像する内視鏡１４と、内視鏡１４で撮像された内視鏡画像を画像処理するプロセッサ装置１６と、プロセッサ装置１６から出力される画像処理後の内視鏡画像を表示する表示装置１８と、入力操作を受け付ける入力装置２０とによって構成されている。
【００１８】
図２に示すように、光源装置１２は、光源制御部２２と、レーザ光源ＬＤと、分波器２６とによって構成されている。
【００１９】
図示例の光源装置１２においては、レーザ光源ＬＤから、中心波長が４４５ｎｍである、青色の一定の波長範囲（例えば、中心波長±１０ｎｍ）の狭帯域光が発せられる。レーザ光源ＬＤは、照明光として、後述する蛍光体から白色光（疑似白色光）を発生させるための励起光を発する光源であって、後述するプロセッサ装置１６の制御部６８によって制御される光源制御部２２によりオンオフ（点灯消灯）制御および光量制御が行われる。
【００２０】
レーザ光源ＬＤとしては、ブロードエリア型のＩｎＧａＮ系レーザダイオードが利用でき、また、ＩｎＧａＮＡｓ系レーザダイオードやＧａＮＡｓ系レーザダイオード等を用いることもできる。
【００２１】
なお、白色光を発生するための白色光光源は、励起光および蛍光体の組合せに限定されず、白色光を発するものであればよく、例えば、キセノンランプ、ハロゲンランプ、白色ＬＥＤ（発光ダイオード）などを利用することもできる。また、レーザ光源ＬＤから発せられるレーザ光の波長は上記例に限定されず、同様の役割を果たす波長のレーザ光を適宜選択することができる。
【００２２】
レーザ光源ＬＤから発せられるレーザ光は、集光レンズ（図示省略）を介して光ファイバに入射され、分波器２６によって２系統の光に分波されてコネクタ部３２Ａに伝送される。分波器２６は、ハーフミラー、反射ミラー等によって構成される。
【００２３】
内視鏡１４は、被検体内に挿入される挿入部の先端面から２系統（２灯）の照明光を出射する照明光学系と、被観察領域の内視鏡画像を撮像する１系統（１眼）の撮像光学系とを有する、電子内視鏡である。
内視鏡１４は、挿入部２８と、挿入部２８の先端の湾曲操作や観察のための操作を行う操作部３０と、内視鏡１４と光源装置とを着脱自在に接続するコネクタ部３２Ａと、内視鏡１４とプロセッサ装置１６とを着脱自在に接続するコネクタ部３２Ｂとを備えている。
コネクタ部３２Ａの図１の裏面側には、内視鏡１４と送水源とを接続する送水コネクタ、および、内視鏡１４と送気源とを接続する送気コネクタが設けられる。
内視鏡１４は、後述する病変部の体積測定に対応する以外は、基本的に、公知の電子内視鏡である。
【００２４】
挿入部２８は、可撓性を持つ軟性部３４と、湾曲部３６と、内視鏡先端部３８とから構成されている。
【００２５】
湾曲部３６は、軟性部３４と内視鏡先端部３８との間に設けられ、操作部３０に配置されたアングルノブ４０の回動操作により湾曲自在に構成されている。この湾曲部３６は、内視鏡１４が使用される被検体の部位等に応じて、任意の方向、任意の角度に湾曲でき、内視鏡先端部３８を、所望の観察部位に向けることができる。
【００２６】
図３に示すように、挿入部２８（内視鏡先端部３８）の先端面である内視鏡先端面４６には、被観察領域へ光を照射する２系統の照明窓４２Ａ、４２Ｂ、被観察領域からの反射光を撮像する１系統の観察窓４４、挿入部２８の内部に設けられている鉗子チャンネルに挿入される鉗子等の処置具等の出口となる鉗子口７４、送気・送水チャンネル５０の出口となる送気・送水口７６等が配置されている。
【００２７】
観察窓４４、鉗子口７４、送気・送水口７６は、内視鏡先端面４６の中央部に配置されている。照明窓４２Ａ、４２Ｂは、観察窓４４を挟んでその両脇側に配置されている。
【００２８】
送気・送水口７６は、水および空気を噴射することで、観察窓４４を洗浄するものである。送気・送水口７６は、送気・送水チャンネル５０に接続される。送気・送水チャンネル５０は、送気・送水口７６から、挿入部２８の内視鏡先端部３８、湾曲部３６および軟性部３４、操作部３０（送気・送水ボタン３０ａ）を介して、コネクタ部３２Ａの送水コネクタおよび送気コネクタに接続される。
通常の内視鏡と同様、内視鏡１４は、操作部３０の送気・送水ボタン３０ａを操作することにより、挿入部２８の内視鏡先端面４６の送気・送水口７６から送気および送水を行うことができる。
なお、図示例の内視鏡１４において、送気および送水は、観察窓４４を洗浄するためのものであるが、本発明は、これに限定はされない。すなわち、本発明の内視鏡装置において、送気および送水は、被観察領域の洗浄等を行うものでもよく、あるいは、観察窓４４を洗浄するための送気および送水を行う機能と、被観察領域の洗浄等を行うための送気および送水を行う機能との両方を有するものでもよい。
【００２９】
照明窓４２Ａの奥には、光ファイバ４８Ａが収納されている。光ファイバ４８Ａは、挿入部２８の内視鏡先端部３８、湾曲部３６および軟性部３４、および、コネクタ部３２Ａを介して、光源装置１２に敷設されている。光ファイバ４８Ａの先端部（照明窓４２Ａ側）の先には蛍光体５４Ａが配置され、さらに蛍光体５４Ａの先にレンズ５２Ａ等の光学系が取り付けられている。同様に、照明窓４２Ｂの奥には、先端部に蛍光体５４Ｂおよびレンズ５２Ｂ等の光学系を有する光ファイバ４８Ｂが収納されている。
【００３０】
蛍光体５４Ａ、５４Ｂは、レーザ光源ＬＤからの青色レーザ光の一部を吸収して緑色〜黄色に励起発光する複数種の蛍光物質（例えばＹＡＧ系蛍光物質、或いはＢＡＭ（ＢａＭｇＡｌ10Ｏ17）等の蛍光物質）を含んで構成される。白色光観察用の励起光が蛍光体５４Ａ、５４Ｂに照射されると、蛍光体５４Ａ、５４Ｂから発せられる緑色〜黄色の励起発光光（蛍光）と、蛍光体５４Ａ、５４Ｂにより吸収されず透過した青色レーザ光とが合わされて、白色光（疑似白色光）が生成される。
【００３１】
図４は、青色レーザ光源からの青色レーザ光及び青色レーザ光が蛍光体により波長変換された発光スペクトルを示すグラフである。レーザ光源ＬＤから発せられる青色レーザ光は、中心波長４４５ｎｍの輝線で表され、青色レーザ光による蛍光体５４Ａ、５４Ｂからの励起発光光は、概ね４５０ｎｍ〜７００ｎｍの波長範囲で発光強度が増大する分光強度分布となる。この励起発光光と青色レーザ光との合波光によって、上述した疑似白色光が形成される。
【００３２】
ここで、本発明でいう白色光とは、厳密に可視光の全ての波長成分を含むものに限らず、例えば、上述した疑似白色光を始めとして、基準色であるＲ（赤）、Ｇ（緑）、Ｂ（青）等、特定の波長帯の光を含むものであればよい。つまり、本発明のいう白色光には、例えば、緑色から赤色にかけての波長成分を含む光や、青色から緑色にかけての波長成分を含む光等も広義に含まれるものとする。
【００３３】
照明窓４２Ａ側および照明窓４２Ｂ側の照明光学系は同等の構成および作用のものであって、照明窓４２Ａ、４２Ｂからは、基本的に同時に同等の照明光が照射される。なお、照明窓４２Ａ、４２Ｂからそれぞれ異なる照明光を照射させることもできる。また、２系統の照明光を出射する照明光学系を有することは必須ではなく、例えば、１系統や４系統の照明光を出射する照明光学系でも同等の機能を実現することができる。
【００３４】
観察窓４４の奥には、被検体の被観察領域の像光を取り込むための対物レンズユニット５６等の光学系が取り付けられ、さらに対物レンズユニット５６の奥には、被観察領域の画像情報を取得するＣＣＤ(Charge Coupled Device）イメージセンサやＣＭＯＳ(Complementary Metal-Oxide Semiconductor）イメージセンサ等の撮像素子５８が取り付けられている。
【００３５】
撮像素子５８は、対物レンズユニット５６からの光を撮像面（受光面）で受光し、受光した光を光電変換して撮像信号（アナログ信号）を出力する。撮像素子５８の撮像面には、可視光の約３７０〜７２０ｎｍの波長範囲を３分割する分光透過率を有する、Ｒ色（約５８０ｎｍ〜７６０ｎｍ）、Ｇ色（約４５０ｎｍ〜６３０ｎｍ）、Ｂ色（約３８０ｎｍ〜５１０ｎｍ）のカラーフィルタが設けられ、Ｒ画素、Ｇ画素、Ｂ画素の３色の画素を１組として、複数組の画素がマトリクス状に配列されている。
【００３６】
光源装置１２から光ファイバ４８Ａ、４８Ｂによって導光された光は、内視鏡先端部３８から被検体の被観察領域に向けて照射される。そして、照明光が照射された被観察領域の様子が対物レンズユニット５６により撮像素子５８の撮像面上に結像され、撮像素子５８により光電変換されて撮像される。撮像素子５８からは、撮像された被検体の被観察領域の内視鏡画像の撮像信号（アナログ信号）が出力される。
【００３７】
撮像素子５８から出力される内視鏡画像の撮像信号（アナログ信号）は、スコープケーブル６２を通じてＡ／Ｄ変換器６４に入力される。Ａ／Ｄ変換器６４は、撮像素子５８からの撮像信号（アナログ信号）を画像信号（デジタル信号）に変換する。変換後の画像信号は、コネクタ部３２Ｂを介してプロセッサ装置１６の画像処理部７０に入力される。
【００３８】
プロセッサ装置１６は、制御部６８と、画像処理部７０と、記憶部７２と、位置検出部７８と、フード体積検出部８０と、機種検出部８２と、注水量検出部８４と、病変部体積検出部８６とを備えている。また、制御部６８には、表示装置１８および入力装置２０が接続されている。プロセッサ装置１６は、内視鏡１４の撮像スイッチや入力装置２０から入力される指示に基づき、光源装置１２の光源制御部２２を制御するとともに、内視鏡１４から入力される内視鏡画像の画像信号を画像処理し、画像処理後の内視鏡画像を表示装置１８に出力する。
プロセッサ装置１６は、例えば、コンピュータを利用して構成すればよい。
【００３９】
画像処理部７０は、内視鏡１４から入力される内視鏡画像の画像信号に対してあらかじめ設定された各種の画像処理を施し、画像処理後の内視鏡画像の画像信号を出力する。画像処理後の内視鏡画像の画像信号は、制御部６８に送られる。
また、後述する病変部の体積測定を行う場合には、画像処理部７０が生成した画像処理後の内視鏡画像の画像信号は、位置検出部７８にも供給される。
【００４０】
位置検出部７８は、内視鏡画像から、内視鏡１４の内視鏡先端部３８に装着されたスコープフード９０の先端部の位置を検出するものである。
【００４１】
図５（Ａ）に、スコープフード９０（以下、フード９０とも言う）の一例の概念図を、図５（Ｂ）に、フード９０を内視鏡先端部３８に装着する様子の概念図を示す。
フード９０は、内視鏡先端部３８に着脱自在な筒状物であり、視野の確保、被観察部との適正な撮像距離の確保、各種の処置具による処置の補助等のために用いられる。
このようなフード９０は、内視鏡１４の機種毎に、内視鏡１４の機種に対応する様々な機種が用意されている。本発明においては、内視鏡１４の機種に応じたものであれば、公知のフード９０が、全て利用可能である。従って、フード９０は、直管状のものであっても、途中から先端に向けて、漸次、縮径するものであってもよい。
【００４２】
位置検出部７８は、フード９０を装着した内視鏡１４が撮像して、画像処理部７０が処理した内視鏡画像から、この内視鏡画像上におけるフード９０の先端部の位置（挿入部２８とは逆側の端部）を検出する。
【００４３】
機種検出部８２は、内視鏡１４の機種、および／または、内視鏡先端部３８に装着されたフード９０の機種を検出するものである。
【００４４】
フード体積検出部８０は、位置検出部７８が検出したフード９０の先端位置と、機種検出部８２が検出した内視鏡１４の機種および／またはフード９０の機種とを用いて、内視鏡１４の先端面とフード９０とが形成する、フード９０の内部空間の体積を検出するものである。
フード９０を用いた内視鏡１４での観察時には、通常、フード９０の先端を被検体の被観察領域に密着する。すなわち、言い換えれば、フード体積検出部８０は、フード９０の先端が被検体の被観察領域に密着された状態に対応して、内視鏡１４の先端面と、フード９０の内面と、被検体の表面すなわちフード９０の先端側の開放面とで構成される空間の体積を検出する。
【００４５】
注水量検出部８４は、後述する病変部の体積測定を行う場合に、フード９０の内部に注水された注水量を検出するものである。
前述のように、内視鏡１４では、送気・送水ボタン３０ａを操作することにより、送気・送水口７６から、観察窓４４を洗浄するための水を噴射できる。本発明の内視鏡診断装置１０においては、これを利用して、後述する病変部の体積測定を行う場合に、内視鏡先端部３８に装着されたフード９０の内部に注水を行う。注水量検出部８４は、この際に、フード９０の内部への注水量を検出する。
【００４６】
病変部体積検出部８６は、フード体積検出部８０が検出したフード９０の内部空間の体積と、注水量検出部８４が抽出したフード９０内部への注水量との差から、腫瘍等の病変部の体積を検出するものである。
位置検出部７８、フード体積検出部８０、機種検出部８２、注水量検出部８４、および、病変部体積検出部８６については、後に詳述する。
【００４７】
制御部６８は、表示装置１８による表示、光源制御部２２の動作、画像処理部７０による画像処理など、内視鏡診断装置１０の全体の制御を行うものである。また、制御部６８は、内視鏡１４の撮像スイッチや入力装置２０からの指示に基づいて、光源装置１２の光源制御部２２の動作を制御したり、例えば１枚（１フレーム）の内視鏡画像を単位として記憶部７２に記憶するように制御したりする。
入力装置２０は、キーボードやマウス等で構成される、公知の入力装置である。表示装置も液晶ディスプレイ等で構成される、公知の表示装置（ディスプレイ）である。
【００４８】
以下、内視鏡診断装置１０の作用を説明することにより、本発明の内視鏡診断装置および内視鏡診断装置の作動方法を詳細に説明する。
【００４９】
まず、内視鏡画像を撮像する場合の動作を説明する。
通常の内視鏡画像の撮像時には、光源制御部２２の制御により、レーザ光源ＬＤが予め設定された一定の発光量で点灯される。レーザ光源ＬＤから発せられる中心波長４４５ｎｍのレーザ光が蛍光体５４Ａ、５４Ｂに照射され、蛍光体５４Ａ、５４Ｂから白色光が発せられる。蛍光体５４Ａ、５４Ｂから発せられる白色光は被検体に照射され、その反射光が撮像素子５８で受光されて被検体の被観察領域の内視鏡画像が撮像される。
【００５０】
撮像素子５８から出力される内視鏡画像の撮像信号（アナログ信号）は、Ａ／Ｄ変換器６４により画像信号（デジタル信号）に変換され、画像処理部７０により各種の画像処理が施され、画像処理後の内視鏡画像の画像信号が出力される。そして、制御部６８により、画像処理後の内視鏡画像の画像信号に対応する内視鏡画像が表示装置１８上に表示され、必要に応じて、内視鏡画像の画像信号が記憶部７２に記憶される。
【００５１】
本発明の内視鏡診断装置１０は、被観察領域の腫瘍等の病変部の体積を検出を行う機能を有しており、例えば体積測定モード等のモード選択や、体積測定スイッチ等のスイッチでの指示で、病変部の体積検出が行われる。
本発明において、病変部の体積検出は、前述のように挿入部２８の内視鏡先端部３８に装着されるフード９０を用いて行う。
病変部の体積検出を行う際には、医師等の内視鏡の操作者が内視鏡先端部３８にフード９０を装着して、挿入部２８を体腔に挿入して、内視鏡１４を操作し、図６（Ａ）に概念的に示すように、被検体Ｈの腫瘍などの病変部ｔが有る場所など、目的とする被観察領域に内視鏡先端部３８を近付ける。この間には、前述のように、被検体の被観察領域の内視鏡画像が撮像され、表示装置１８に表示されている。
【００５２】
さらに、内視鏡先端部３８を目的とする被観察領域に近付け、図６（Ｂ）に概念的に示すように、フード９０の先端を被検体Ｈの被観察領域に当接して、密着する。これにより、フード９０の作用によって、内視鏡１４による観察視野および撮像距離が確保される。
【００５３】
この状態で、例えば体積測定モードが選択されると、内視鏡画像が位置検出部７８に供給される。
また、機種検出部８２が、内視鏡１４の機種および／または装着されたフード９０の機種を検出し、検出した情報を、フード体積検出部８０に送る。内視鏡診断装置１０では、通常、コネクタ部３２Ａをプロセッサ装置１６に接続した時点で、内視鏡１４からプロセッサ装置１６の制御部６８に、内視鏡１４の情報が供給される。機種検出部８２は、この情報を用いて、内視鏡１４の機種を検出すればよい。また、フード９０の機種は、例えば、入力装置２０および表示装置１８を用いたＧＵＩ(graphical user interface)によって、ユーザがフード９０の機種を入力する入力手段を設け、この入力手段から入力された情報によって、機種検出部８２がフード９０の機種を検出するようにすればよい。内視鏡１４の機種も、同様の方法で入力可能にしてもよい。
【００５４】
位置検出部７８は、撮像された内視鏡画像から、内視鏡画像上におけるフード９０の先端部の位置を検出する。
図７に、内視鏡先端部３８にフード９０を装着した状態の内視鏡画像を概念的に示す。フード９０を装着した状態の内視鏡画像では、フード９０が撮像される。位置検出部７８は、内視鏡画像から、画像上におけるフード９０の先端部であるフード先端部９０ａを検出する。フード先端部９０ａの検出は、エッジ検出や円のフィッティング（パターンマッチング）等の公知の方法で行えばよい。
【００５５】
位置検出部７８が検出したフード先端部９０ａの位置検出結果は、フード体積検出部８０に供給される。
フード体積検出部８０は、位置検出部７８から供給された内視鏡画像上におけるフード先端部９０ａの位置の情報と、機種検出部８２から供給された内視鏡１４の機種および／または装着されたフード９０の機種の情報を用いて、内視鏡１４の先端面とフード９０とが形成する、フード９０の内部空間の体積を検出する。
【００５６】
周知のように、フード９０は、医師等の内視鏡１４の操作者が、挿入部２８の内視鏡先端部３８を被嵌するように嵌合することで装着する。
この際におけるフード９０の押込み量は、必ずしも一定ではない。すなわち、フード９０の内部空間の体積は、操作者によるフード９０の押込み量によって異なる。
【００５７】
ここで、同じフード９０であれば、内視鏡画像上におけるフード先端部９０ａの内周の位置、内周長、直径等は、フード９０の押込み量に応じて、一義的に決まる。すなわち、押込み量が多い場合には、内視鏡先端面４６とフード先端部９０ａとの距離が近くなるので、フード先端部９０ａの内周は画像上では外側に寄り、内周長や直径は長くなる。逆に、押込み量が少ない場合には、内視鏡先端面４６とフード先端部９０ａとの距離が遠くなるので、フード先端部９０ａの内周は画像上では内側に寄り、内周長や直径は短くなる。
従って、フード９０の機種が分かれば、内視鏡画像上におけるフード先端部９０ａの内周の位置、内周長、直径等によって、フード９０の押込み量が分かる。また、フード９０の機種が同じであれば、押込み量に対するフード９０の内部空間の体積は、一義的に決まる。
これ対応して、内視鏡診断装置１０では、フード９０の機種毎に、例えば、内視鏡画像上におけるフード先端部９０ａの内周長と、フード９０の内部空間の体積との関係を示すＬＵＴ（ルックアップテーブル）を作成して、フード体積検出部８０に記憶しておく。フード体積検出部８０は、フード９０の機種の情報に応じて、対応するＬＵＴを選択すると共に、内視鏡画像上における先端部の位置から、内視鏡画像上におけるフード先端部９０ａの内周長を検出して、選択したＬＵＴを用いて、内周長からフード９０の内部空間の体積を検出する。
また、フード先端部９０ａの内周長に変えて、内視鏡画像上におけるフード先端部９０ａの内周の位置、直径、半径等も利用可能である。
【００５８】
フード９０の内部空間の体積の検出は、これ以外にも、各種の方法が利用可能である。
例えば、内視鏡１４の機種が分かれば、内視鏡１４の内視鏡先端面４６の面積、内周長、直径等が分かる。さらに、フード９０が直管状である場合には、内視鏡１４の内視鏡先端面４６と、フード先端部９０ａとは、サイズおよび形状が一致する。
すなわち、フード９０が直管状である場合には、内視鏡１４の機種が分かれば、同様に、内視鏡画像上におけるフード先端部９０ａの内周の位置、内周長、直径等によって、フード９０の押込み量が分かる。
従って、同様に、内視鏡１４の機種毎に、内視鏡画像上におけるフード先端部９０ａの内周長と、フード９０の内部空間の体積との関係を示すＬＵＴを作成しておき、内視鏡１４の機種の情報に応じて、対応するＬＵＴを選択すると共に、内視鏡画像上における先端部の位置から、フード先端部９０ａの内周長を検出して、選択したＬＵＴを用いて、内周長からフード９０の内部空間の体積を検出してもよい。
【００５９】
内視鏡診断装置１０においては、上述した方法以外にも、演算によって、フード９０の内部空間の体積を検出してもよい。
前述のように、同じフード９０であれば、内視鏡画像上におけるフード先端部９０ａの内周の位置、内周長、直径等は、フード９０の押込み量に応じて、一義的に決まる。すなわち、内視鏡画像上におけるフード先端部９０ａの内周の位置、内周長、直径等と、内視鏡１４の挿入部２８の内視鏡先端面４６とフード９０の先端部との距離（以下、この距離を単に『フード長』とも言う）は、一義的に対応している。
また、フード９０の機種が分かれば、フード先端部９０ａの面積は分かる。
従って、フード９０の機種毎に、例えば、内視鏡画像上におけるフード先端部９０ａの内周長と、フード長との関係を示すＬＵＴを作成しておき、フードの機種に応じてＬＵＴを選択して、内視鏡画像上における先端部の位置からフード先端部９０ａの内周長を検出して、内周長からフード長を検出し、フード長とフード先端部９０ａの面積とを積算することで、フード９０の内部空間の体積を検出してもよい。
この方法は、フード９０が直管状で有る場合に、好適に利用可能である。
【００６０】
また、前述のように、フード９０が直管状の場合には、内視鏡１４の挿入部２８の内視鏡先端面４６と、フード先端部９０ａとは、サイズおよび形状が一致する。また、内視鏡１４の機種が分かれば、内視鏡先端面４６の面積は分かる。
従って、同様に、内視鏡１４の機種毎に、例えば、内視鏡画像上におけるフード先端部９０ａの内周長と、フード長との関係を示すＬＵＴを作成しておき、内視鏡１４の機種に応じてＬＵＴを選択して、内視鏡画像上における先端部の位置からフード先端部９０ａの内周長を検出して、内周長からフード長を検出し、フード長とフード先端部９０ａの面積とを積算することで、フード９０の内部空間の体積を検出してもよい。
【００６１】
フード体積検出部８０は、フード９０の内部空間の体積の検出結果を病変部体積検出部８６に供給する。
なお、上述した各種のフード９０の内部空間の体積の検出方法は、複数を併用してもよく、また、複数の検出方法を設定しておき、操作者が選択できるようにしてもよい。
【００６２】
一方、体積測定モードを選択すると、操作者は、送気・送水ボタン３０ａを操作して、図６（Ｃ）に示すように、フード９０の内部に注水を行う。体積測定モードの選択に応じて、表示装置１８への表示や音声出力等によって、注水の開始を促すようにしてもよい。
図６（Ｄ）に示すように、フード９０の内部が水で満たされたら、注水を終了する。
【００６３】
注水が終了すると、注水量検出部８４が、フード９０への注水量を検出して、注水量の検出結果を病変部体積検出部８６に供給する。
【００６４】
フード９０への注水量の検出は、各種の方法が利用可能である。
一例として、挿入部２８の送気・送水チャンネルの何処かに流量計を設けておき、この流量計による流量の測定結果から、フード９０への注水量を求める方法が例示される。
また、通常は、注水は流量が一定のポンプ等を用いて行われるので、注水時間を測定して、ポンプの流量と注水時間とから、注水量を求める方法も利用可能である。
また、内視鏡診断装置１０には、注水用の水を貯留するタンクが備えられる場合も有るので、注水前と注水後とでタンクの重量を測定し、この重量測定結果から注水量を求める方法も利用可能である。
さらに、例えば、入力装置２０と表示装置１８とを用いたＧＵＩ等によって、注水量を入力する入力手段を設け、入力手段によって入力された注水量を用いる方法も利用可能である。この方法は、操作者が、鉗子口等からシリンジ等を用いてフード９０内に注水を行った場合等に、有効に利用される。
このような注水量の検出方法は、複数を併用してもよく、また、複数の検出方法を設定しておき、操作者が選択できるようにしてもよい。
【００６５】
また、フードへの注水量が、フード体積検出部８０が検出したフード９０の内部体積を超えた場合には、表示装置１８への表示や音声出力等によって警告を発してもよい。さらに、警告に加え、病変部ｔの体積の検出操作をやり直すことを促す表示や音声出力をするようにしてもよい。
【００６６】
病変部体積検出部８６は、フード体積検出部８０から供給されたフード９０の内部体積から、注水量検出部８４から供給されたフード９０への注水量を減算することにより、病変部ｔの体積を検出する。
腫瘍などの病変部ｔが無ければ、フード９０の内部体積とフード９０への注水量とは、一致するはずである。これに対し、被検体Ｈの被観察領域に病変部ｔが有る場合には，病変部ｔの体積分だけ、フード９０に注入できる水の量が減る。従って、フード９０の内部体積からフード９０への注水量を減算することにより、病変部ｔの体積を検出できる。
【００６７】
以上のように、本発明によれば、特別な測定用の治具等を用いることなく、内視鏡診断装置で一般的に用いられているフードと、内視鏡が一般的に有している注水機能を用いて、腫瘍等の病変部の体積を測定できる。
【００６８】
病変部体積検出部８６が検出した病変部ｔの体積は、制御部６８に供給される。
制御部６８は、病変部ｔの体積の検出結果を、表示装置１８に表示し、また、記憶部７２に記憶（記録）する。病変部ｔの体積の検出結果は、例えば体積検出モードが選択された時点の内視鏡画像など、対応する内視鏡画像と対応付けして記憶するのが好ましい。
また、病変部ｔの体積が、予め設定された閾値を超えた場合には、表示装置１８への表示や音声出力等によって、警告を発するようにしてもよい。
【００６９】
以上、本発明の内視鏡診断装置および内視鏡診断装置の作動方法について詳細に説明したが、本発明は、上述の例に限定はされず、本発明の要旨を逸脱しない範囲において、各種の改良や変更を行なってもよいのは、もちろんである。
【産業上の利用可能性】
【００７０】
内視鏡を用いた各種の診断に好適に利用可能である。
【符号の説明】
【００７１】
１０  内視鏡診断装置
１２  光源装置
１４  内視鏡
１６  プロセッサ装置
１８  表示装置
２０  入力装置
２２  光源制御部
２６  分波器
２８  挿入部
３０  操作部
３０ａ  送気・送水ボタン
３２Ａ、３２Ｂ  コネクタ部
３４  軟性部
３６  湾曲部
３８  先端部
４０  アングルノブ
４２Ａ、４２Ｂ  照明窓
４４  観察窓
４６  先端面
４８Ａ、４８Ｂ  光ファイバ
５０  送気・送水チャンネル
５２Ａ、５２Ｂ  レンズ
５４Ａ、５４Ｂ  蛍光体
５６  対物レンズユニット
５８  撮像素子
６２  スコープケーブル
６４  Ａ／Ｄ変換器
６８  制御部
７０  画像処理部
７２  記憶部
７４  鉗子口
７６  送気・送水口
７８  位置検出部
８０  フード体積検出部
８２  機種検出部
８４  注水量検出部
８６  病変部体積検出部
ＬＤ  レーザ光源
【図１】
0006401098.tif 000002
【図２】
0006401098.tif 000003
【図３】
0006401098.tif 000004
【図４】
0006401098.tif 000005
【図５】
0006401098.tif 000006
【図６】
0006401098.tif 000007
【図７】
0006401098.tif 000008